(57)【要約】【課題】待機モードにおいて、利便性及び通知の視認性を向上する。【解決手段】電子機器は、表示部の表示を停止した待機モードにおいて、バックグラウンド処理を実行する稼動状態と、迅速に稼動状態に復帰可能な低消費電力状態とを切り替える制御を行うモード制御部を備える情報処理装置に着脱可能な電子機器であって、表示部の表示を停止した状態で視認可能に配置された発光部と、バックグラウンド処理において、ユーザに通知する所定のイベントが発生した場合に、待機モードのまま発光部を点灯させる点灯制御部とを備える。【選択図】図４
2019197435.tif 000002
【特許請求の範囲】
【請求項１】
表示部の表示を停止した待機モードにおいて、バックグラウンド処理を実行する稼動状態と、迅速に前記稼動状態に復帰可能な低消費電力状態とを切り替える制御を行うモード制御部を備える情報処理装置に着脱可能な電子機器であって、
前記表示部の表示を停止した状態で視認可能に配置された発光部と、
前記バックグラウンド処理において、ユーザに通知する所定のイベントが発生した場合に、前記待機モードのまま前記発光部を点灯させる点灯制御部と
を備える電子機器。
【請求項２】
前記表示部の表示を停止した状態で操作可能に配置されたスイッチ部を備え、
前記点灯制御部は、前記スイッチ部の操作に応じて、前記低消費電力状態から前記稼動状態に復帰させる起動要求を前記モード制御部に出力し、
前記モード制御部は、前記起動要求に基づいて、前記稼動状態に切り替える制御を行う
請求項１に記載の電子機器。
【請求項３】
前記情報処理装置は、前記ユーザの音声によって自装置の操作を受け付ける音声アシスタント処理を実行する音声アシスタント部を備え、
前記モード制御部は、前記スイッチ部が所定の期間以上押下される操作がされた場合に、前記稼動状態に切り替えるとともに、前記音声アシスタント部に対して、前記音声アシスタント処理の動作を開始させる
請求項２に記載の電子機器。
【請求項４】
前記音声アシスタント部は、前記スイッチ部が押下されている期間に、前記ユーザの音声によって前記操作を受け付ける
請求項３に記載の電子機器。
【請求項５】
前記スイッチ部は、操作したユーザの指紋情報を検出する指紋センサを備え、
前記音声アシスタント部は、前記指紋センサによって検出された前記ユーザの指紋情報に基づいて、前記スイッチ部を操作した前記ユーザの正当性が確認された場合に、前記ユーザの音声によって前記操作を受け付ける
請求項３又は請求項４に記載の電子機器。
【請求項６】
前記モード制御部は、前記起動要求に基づいて、前記稼動状態に切り替えるとともに、前記スイッチ部の操作内容に応じて、異なる処理を実行させる
請求項２から請求項５のいずれか一項に記載の電子機器。
【請求項７】
表示部の表示を停止した待機モードにおいて、バックグラウンド処理を実行する稼動状態と、迅速に前記稼動状態に復帰可能な低消費電力状態とを切り替える制御を行うモード制御部を備える情報処理装置に着脱可能な電子機器であって、
前記表示部の表示を停止した状態で操作可能に配置されたスイッチ部と、
前記スイッチ部の操作に応じて、前記低消費電力状態から前記稼動状態に復帰させる起動要求を前記モード制御部に出力する稼動制御部と
を備える電子機器。
【請求項８】
前記情報処理装置は、ユーザの音声によって自装置の操作を受け付ける音声アシスタント処理を実行する音声アシスタント部を備え、
前記モード制御部は、前記スイッチ部が所定の期間以上押下される操作がされた場合に、前記稼動状態に切り替えるとともに、前記音声アシスタント部に対して、前記音声アシスタント処理の動作を開始させる
請求項７に記載の電子機器。
【請求項９】
前記音声アシスタント部は、前記スイッチ部が押下されている期間に、前記ユーザの音声によって前記操作を受け付ける
請求項８に記載の電子機器。
【請求項１０】
前記スイッチ部は、操作したユーザの指紋情報を検出する指紋センサを備え、
前記音声アシスタント部は、前記指紋センサによって検出された前記ユーザの指紋情報に基づいて、前記スイッチ部を操作した前記ユーザの正当性が確認された場合に、前記ユーザの音声によって前記操作を受け付ける
請求項８又は請求項９に記載の電子機器。
【請求項１１】
前記モード制御部は、前記起動要求に基づいて、前記稼動状態に切り替えるとともに、前記スイッチ部の操作内容に応じて、異なる処理を実行させる
請求項８から請求項１０のいずれか一項に記載の電子機器。
【請求項１２】
前記情報処理装置と、
請求項１から請求項１１のいずれか一項に記載の電子機器と
を備える情報処理システム。
【請求項１３】
表示部の表示を停止した待機モードにおいて、バックグラウンド処理を実行する稼動状態と、迅速に前記稼動状態に復帰可能な低消費電力状態とを切り替える制御を行うモード制御ステップと、
情報処理装置に着脱可能で、前記表示部の表示を停止した状態で視認可能に配置された発光部を備える電子機器が装着されていることを確認する確認ステップと、
前記バックグラウンド処理において、ユーザに通知する所定のイベントが発生した場合に、前記待機モードのまま前記発光部を点灯させる点灯制御ステップと
を含む情報処理方法。
【請求項１４】
コンピュータに、
表示部の表示を停止した待機モードにおいて、バックグラウンド処理を実行する稼動状態と、迅速に前記稼動状態に復帰可能な低消費電力状態とを切り替える制御を行うモード制御ステップと、
情報処理装置に着脱可能で、前記表示部の表示を停止した状態で視認可能に配置された発光部を備える電子機器が装着されていることを確認する確認ステップと、
前記バックグラウンド処理において、ユーザに通知する所定のイベントが発生した場合に、前記待機モードのまま前記発光部を点灯させる点灯制御ステップと
を実行させるためのプログラム。
【発明の詳細な説明】
【技術分野】
【０００１】
本発明は、電子機器、情報処理システム、情報処理方法、及びプログラムに関する。
【背景技術】
【０００２】
近年、ノートＰＣ（Personal Computer）などの情報処理装置では、ＯＳ（Operating System）やアプリケーションのイベントドリブンにより復帰可能な低消費電力状態（例えば、Ｓ０ｉｘ状態）を設ける技術が知られている（例えば、特許文献１を参照）。また、例えば、Ｗｉｎｄｏｗｓ１０（Ｗｉｎｄｏｗｓは登録商標）では、このようなＳ０ｉｘ状態を利用したモダンスタンバイ（Modern Standby）を搭載しており、モダンスタンバイにより、表示などを停止した低消費電力を実現しつつ、バックグラウンドで所定の処理を実行することを可能にしている。
【先行技術文献】
【特許文献】
【０００３】
【特許文献１】特開２０１７−２０９８６９号公報
【発明の概要】
【発明が解決しようとする課題】
【０００４】
上述したモダンスタンバイのような待機モードを利用した場合に、従来の情報処理装置では、表示の停止により外見上は動作を停止しているように見える状態やクラムシェル型のＰＣでＬＣＤ筐体を閉じた状態において、バックグラウンドで、例えば、メール受信などの処理が実行されることがある。従来の情報処理装置では、ユーザがこのような内部の処理による状態の変化を知ることが困難であり、利便性が低下する場合があった。
【０００５】
本発明は、上記問題を解決すべくなされたもので、その目的は、待機モードにおいて、利便性及び通知の視認性を向上させることができる電子機器、情報処理システム、情報処理方法、及びプログラムを提供することにある。
【課題を解決するための手段】
【０００６】
上記問題を解決するために、本発明の一態様は、表示部の表示を停止した待機モードにおいて、バックグラウンド処理を実行する稼動状態と、迅速に前記稼動状態に復帰可能な低消費電力状態とを切り替える制御を行うモード制御部を備える情報処理装置に着脱可能な電子機器であって、前記表示部の表示を停止した状態で視認可能に配置された発光部と、前記バックグラウンド処理において、ユーザに通知する所定のイベントが発生した場合に、前記待機モードのまま前記発光部を点灯させる点灯制御部とを備える電子機器である。
【０００７】
また、本発明の一態様は、上記の電子機器において、前記表示部の表示を停止した状態で操作可能に配置されたスイッチ部を備え、前記点灯制御部は、前記スイッチ部の操作に応じて、前記低消費電力状態から前記稼動状態に復帰させる起動要求を前記モード制御部に出力し、前記モード制御部は、前記起動要求に基づいて、前記稼動状態に切り替える制御を行うようにしてもよい。
【０００８】
また、本発明の一態様は、上記の電子機器において、前記情報処理装置は、前記ユーザの音声によって自装置の操作を受け付ける音声アシスタント処理を実行する音声アシスタント部を備え、前記モード制御部は、前記スイッチ部が所定の期間以上押下される操作がされた場合に、前記稼動状態に切り替えるとともに、前記音声アシスタント部に対して、前記音声アシスタント処理の動作を開始させるようにしてもよい。
【０００９】
また、本発明の一態様は、上記の電子機器において、前記音声アシスタント部は、前記スイッチ部が押下されている期間に、前記ユーザの音声によって前記操作を受け付けるようにしてもよい。
【００１０】
また、本発明の一態様は、上記の電子機器において、前記スイッチ部は、操作したユーザの指紋情報を検出する指紋センサを備え、前記音声アシスタント部は、前記指紋センサによって検出された前記ユーザの指紋情報に基づいて、前記スイッチ部を操作した前記ユーザの正当性が確認された場合に、前記ユーザの音声によって前記操作を受け付けるようにしてもよい。
【００１１】
また、本発明の一態様は、上記の電子機器において、前記モード制御部は、前記起動要求に基づいて、前記稼動状態に切り替えるとともに、前記スイッチ部の操作内容に応じて、異なる処理を実行させるようにしてもよい。
【００１２】
また、本発明の一態様は、表示部の表示を停止した待機モードにおいて、バックグラウンド処理を実行する稼動状態と、迅速に前記稼動状態に復帰可能な低消費電力状態とを切り替える制御を行うモード制御部を備える情報処理装置に着脱可能な電子機器であって、前記表示部の表示を停止した状態で操作可能に配置されたスイッチ部と、前記スイッチ部の操作に応じて、前記低消費電力状態から前記稼動状態に復帰させる起動要求を前記モード制御部に出力する稼動制御部とを備える電子機器である。
【００１３】
また、本発明の一態様は、前記情報処理装置と、上記の電子機器とを備える情報処理システムである。
【００１４】
また、本発明の一態様は、表示部の表示を停止した待機モードにおいて、バックグラウンド処理を実行する稼動状態と、迅速に前記稼動状態に復帰可能な低消費電力状態とを切り替える制御を行うモード制御ステップと、情報処理装置に着脱可能で、前記表示部の表示を停止した状態で視認可能に配置された発光部を備える電子機器が装着されていることを確認する確認ステップと、前記バックグラウンド処理において、ユーザに通知する所定のイベントが発生した場合に、前記待機モードのまま前記発光部を点灯させる点灯制御ステップとを含む情報処理方法である。
【００１５】
また、本発明の一態様は、コンピュータに、表示部の表示を停止した待機モードにおいて、バックグラウンド処理を実行する稼動状態と、迅速に前記稼動状態に復帰可能な低消費電力状態とを切り替える制御を行うモード制御ステップと、情報処理装置に着脱可能で、前記表示部の表示を停止した状態で視認可能に配置された発光部を備える電子機器が装着されていることを確認する確認ステップと、前記バックグラウンド処理において、ユーザに通知する所定のイベントが発生した場合に、前記待機モードのまま前記発光部を点灯させる点灯制御ステップとを実行させるためのプログラム。
【発明の効果】
【００１６】
本発明の上記態様によれば、待機モードにおいて、利便性を向上させることができる。
【図面の簡単な説明】
【００１７】
【図１】第１の実施形態によるノートＰＣの主要なハードウェア構成の一例を示す図である。
【図２】第１の実施形態におけるＵＳＢドングルの一例を示す外観図である。
【図３】第１の実施形態におけるＵＳＢドングルの設置例を示す図である。
【図４】第１の実施形態によるノートＰＣの機能構成の一例を示すブロック図である。
【図５】第１の実施形態によるノートＰＣの状態遷移の一例を示す図である。
【図６】第１の実施形態によるノートＰＣのモダンスタンバイモードへの移行処理の一例を示すフローチャートである。
【図７】第１の実施形態によるＵＳＢドングルの動作の一例を示すフローチャートである。
【図８】第１の実施形態における音声アシスタント機能の開始処理の一例を示すフローチャートである。
【図９】第１の実施形態におけるノートＰＣ及びＵＳＢドングルの動作の一例を示す図である。
【図１０】第２の実施形態によるノートＰＣの機能構成の一例を示すブロック図である。
【図１１】第２の実施形態におけるＵＳＢドングルの一例を示す外観図である。
【図１２】第２の実施形態における音声アシスタント機能の開始処理の一例を示すフローチャートである。
【図１３】第２の実施形態におけるＵＳＢドングルの変形例を示す外観図である。
【図１４】電子機器の変形例を示す外観図である。
【発明を実施するための形態】
【００１８】
以下、本発明の一実施形態による、情報処理装置、電子機器、及び情報処理方法について図面を参照して説明する。
【００１９】
［第１の実施形態］
図１は、第１の実施形態によるノートＰＣ１の主要なハードウェア構成の一例を示す図である。なお、本実施形態において、情報処理装置の一例として、ノートＰＣ１について説明する。
【００２０】
図１に示すように、ノートＰＣ１は、ＣＰＵ１１と、メインメモリ１２と、ビデオサブシステム１３と、表示部１４と、チップセット２１と、ＢＩＯＳメモリ２２と、ＨＤＤ２３と、ＵＳＢコネクタ２４と、オーディオシステム２５と、ＷＬＡＮカード２６と、エンベデッドコントローラ３１と、入力部３２と、電源回路３３と、ＵＳＢドングル１０と、マイク２５１と、スピーカ２５２とを備える。
なお、ＵＳＢドングル１０は、ノートＰＣ１に着脱可能に構成されており、ノートＰＣ１と、ＵＳＢドングル１０とを備える情報処理システム１００としてもよい。
【００２１】
ＣＰＵ（Central Processing Unit）１１は、プログラム制御により種々の演算処理を実行し、ノートＰＣ１全体を制御している。
メインメモリ１２は、ＣＰＵ１１の実行プログラムの読み込み領域として、又は、実行プログラムの処理データを書き込む作業領域として利用される書き込み可能メモリである。メインメモリ１２は、例えば、複数個のＤＲＡＭ（Dynamic Random Access Memory）チップで構成される。この実行プログラムには、ＯＳ、周辺機器類をハードウェア操作するための各種ドライバ、各種サービス／ユーティリティ、アプリケーションプログラム等が含まれる。
【００２２】
ビデオサブシステム１３は、画像表示に関連する機能を実現するためのサブシステムであり、ビデオコントローラを含んでいる。このビデオコントローラは、ＣＰＵ１１からの描画命令を処理し、処理した描画情報をビデオメモリに書き込むとともに、ビデオメモリからこの描画情報を読み出して、表示部１４に描画データ（表示データ）として出力する。
表示部１４は、例えば、液晶ディスプレイであり、ビデオサブシステム１３から出力された描画データ（表示データ）に基づく表示画面を表示する。
【００２３】
チップセット２１は、ＵＳＢ（Universal Serial Bus）、シリアルＡＴＡ（AT Attachment）、ＳＰＩ（Serial Peripheral Interface）バス、ＰＣＩ（Peripheral Component Interconnect）バス、ＰＣＩ−Ｅｘｐｒｅｓｓバス、及びＬＰＣ（Low Pin Count）バスなどのコントローラを備えており複数のデバイスが接続される。図１では、デバイスの例示として、ＢＩＯＳメモリ２２と、ＨＤＤ２３と、ＵＳＢコネクタ２４と、オーディオシステム２５と、ＷＬＡＮカード２６と、エンベデッドコントローラ３１とが、チップセット２１に接続されている。
【００２４】
ＢＩＯＳ（Basic Input Output System）メモリ２２は、例えば、ＥＥＰＲＯＭ（Electrically Erasable Programmable Read Only Memory）やフラッシュＲＯＭなどの電気的に書き換え可能な不揮発性メモリで構成される。ＢＩＯＳメモリ２２は、ＢＩＯＳ、及びエンベデッドコントローラ３１などを制御するためのシステムファームウェアなどを記憶する。
【００２５】
ＨＤＤ（Hard Disk Drive）２３（不揮発性記憶装置の一例）は、ＯＳ、各種ドライバ、各種サービス／ユーティリティ、アプリケーションプログラム、及び各種データを記憶する。ＵＳＢコネクタ２４は、ＵＳＢを利用した周辺機器類を接続するためのコネクタである。本実施形態では、ＵＳＢコネクタ２４には、ＵＳＢドングル１０が接続される。
【００２６】
オーディオシステム２５は、音データの記録、再生、出力を行う。オーディオシステム２５は、マイク２５１及びスピーカ２５２が接続され、後述する音声アシスタント機能に利用される。
ＷＬＡＮ（Wireless Local Area Network）カード２６は、ワイヤレス（無線）ＬＡＮにより、ネットワークに接続して、データ通信を行う。ＷＬＡＮカード２６は、例えば、ネットワークからのデータを受信した際に、データを受信したことを示すイベントトリガを発生する。
【００２７】
エンベデッドコントローラ３１は、ノートＰＣ１のシステム状態に関わらず、各種デバイス（周辺装置やセンサ等）を監視し制御するワンチップマイコン（One-Chip Microcomputer）である。また、エンベデッドコントローラ３１は、電源回路３３を制御する電源管理機能を有している。なお、エンベデッドコントローラ３１は、不図示のＣＰＵ、ＲＯＭ、ＲＡＭなどで構成されるとともに、複数チャネルのＡ／Ｄ入力端子、Ｄ／Ａ出力端子、タイマ、及びデジタル入出力端子を備えている。エンベデッドコントローラ３１には、それらの入出力端子を介して、例えば、入力部３２、及ぶ電源回路３３などが接続されており、エンベデッドコントローラ３１は、これらの動作を制御する。
【００２８】
エンベデッドコントローラ３１は、ＡＣＰＩ（Advanced Configuration and Power Interface）仕様に規定されたシステム状態（例えば、Ｓ０状態〜Ｓ５状態）に応じて、電源回路３３を制御する。ここで、Ｓ０状態は、最もアクティブな状態であり、通常の稼動状態（通常動作状態）である。また、Ｓ５状態は、ソフトウェアにより電源をオフしたシャットダウン状態（電源断状態）である。また、Ｓ４状態は、作業内容をＨＤＤ２３などに退避させた休止状態であるハイバネーション状態である。
【００２９】
なお、本実施形態のＣＰＵ１１は、迅速にＳ０状態に復帰可能な低消費電力状態であるＳ０ｉｘ状態に対応しており、エンベデッドコントローラ３１は、このＳ０ｉｘ状態を利用した待機モード（例えば、モダンスタンバイモード）に対応した電源回路３３の制御を実行する。ここで、Ｓ０ｉｘ状態は、ＡＣＰＩ仕様に規定されているＳ０状態の拡張状態であって、Ｓ０状態よりも消費電力を低減したＳ０ｉｘ状態である。
【００３０】
また、本実施形態において、モダンスタンバイモードでは、表示部１４の表示をオフ（停止）した状態で、上述したＳ０ｉｘ状態と、バックグラウンド処理が実行されるＳ０状態とが切り替えて使用される。ここで、バックグラウンド処理とは、例えば、表示部１４の表示を伴わずに、裏側（バックグラウンド）で行われる処理のことである。また、モダンスタンバイモードの詳細については後述する。
【００３１】
入力部３２は、例えば、キーボード、ポインティング・デバイス、タッチパッドなどの入力デバイスである。
電源回路３３は、例えば、ＤＣ／ＤＣコンバータ、充放電ユニット、電池ユニット、ＡＣ／ＤＣアダプタなどを含んでおり、ＡＣ／ＤＣアダプタ、又は電池ユニットから供給される直流電圧を、ノートＰＣ１を動作させるために必要な複数の電圧に変換する。また、電源回路３３は、エンベデッドコントローラ３１からの制御に基づいて、ノートＰＣ１の各部に電力を供給する。
【００３２】
ＵＳＢドングル１０（電子機器の一例）は、ＵＳＢコネクタ２４を介して、ノートＰＣ１に着脱可能に構成されている。ＵＳＢドングル１０は、ＵＳＢ制御部１０１と、駆動回路１０２と、ＬＥＤ（Light Emitting Diode）発光部１０３と、スイッチ部１０４とを備える。
【００３３】
ＬＥＤ発光部１０３（発光部の一例）は、例えば、発光ダイオード（ＬＥＤ）を備えるインジケータであり、表示部１４の表示を停止した状態で視認可能に配置されている。ＬＥＤ発光部１０３は、例えば、赤(Red)、緑(Green)、及び青(Blue)の三原色のＬＥＤ素子を有しており、各ＬＥＤ素子に流れる電流を変更することで発光色を変更可能である。
【００３４】
駆動回路１０２は、ＬＥＤ発光部１０３を点灯させるＬＥＤ駆動回路である。駆動回路１０２は、ＵＳＢ制御部１０１からのＬＥＤ発光部１０３の点灯命令、又は消灯命令に基づいて、ＬＥＤ発光部１０３を点灯又は消灯する。
スイッチ部１０４は、例えば、ボタンスイッチなどのスイッチＳＷを含み、表示部１４の表示を停止した状態で操作可能に配置されている。
【００３５】
ＵＳＢ制御部１０１（点灯制御部の一例）は、ノートＰＣ１のバックグラウンド処理において、ユーザに通知する所定のイベントが発生した場合に、ＬＥＤ発光部１０３を点灯させる。ＵＳＢ制御部１０１は、ＵＳＢコネクタ２４を介して、例えば、ノートＰＣ１から所定のイベントが発生したことを示す通知コマンドを受信した場合に、駆動回路１０２にＬＥＤ発光部１０３の点灯命令を送信して、駆動回路１０２にＬＥＤ発光部１０３を点灯させる。なお、所定のイベントとは、例えば、ノートＰＣ１のバックグラウンド処理において、メールを受信（着信）した場合、スケジューラ（カレンダ）において、予め登録した予定の日時になった場合、ＳＮＳ（Social Networking Service）の更新が発生した場合などのイベントである。
【００３６】
また、ＵＳＢ制御部１０１は、スイッチ部１０４の操作に応じて、ノートＰＣ１の低消費電力状態（Ｓ０ｉｘ状態）を解除して、ノートＰＣ１を稼動状態（Ｓ０状態）にさせる起動要求を、ＵＳＢコネクタ２４を介して、ノートＰＣ１に出力する。この場合、ＵＳＢ制御部１０１は、稼動制御部として機能する。スイッチ部１０４の操作は、例えば、スイッチ部１０４のスイッチＳＷの押下などの操作であり、スイッチＳＷの１回押下、スイッチＳＷの２回押下、スイッチＳＷの長押しなどの操作に応じて、ノートＰＣ１を稼動状態（Ｓ０状態）にさせた後の処理を変更するようにしてもよい。すなわち、モード制御部４１は、起動要求に基づいて、稼動状態（Ｓ０状態）に切り替えるとともに、スイッチ部１０４の操作内容に応じて、異なる処理（例えば、音声アシスタント機能の起動処理、ＳＮＳの更新処理、音声アシスタント機能の音声入力など）を実行させるようにしてもよい。
本実施形態では、ＵＳＢ制御部１０１は、一例として、スイッチＳＷの押下に応じて、後述しるノートＰＣ１の音声アシスタント機能を起動させる起動要求を出力する。
【００３７】
ここで、図２及び図３を参照して、本実施形態によるＵＳＢドングル１０の外観について説明する。
図２は、本実施形態におけるＵＳＢドングル１０の一例を示す外観図である。また、図３は、本実施形態におけるＵＳＢドングル１０の設置例を示す図である。
図２に示すように、ＵＳＢドングル１０は、上述したＬＥＤ発光部１０３及びスイッチ部１０４と、ＵＳＢ端子部１０５とを備える。
【００３８】
ＵＳＢ端子部１０５は、ＵＳＢ用の端子であり、図２に示すように、ノートＰＣ１のＵＳＢコネクタ２４に挿入されて、ＵＳＢドングル１０とノートＰＣ１とをＵＳＢによって接続する。
なお、図２ではＵＳＢ端子部１０５としてＵＳＢ  Ｔｙｐｅ−Ａが例示されているが、同様の機能を有すればＴｙｐｅ−Ｂ、Ｔｙｐｅ−Ｃ、Ｍｉｎｉ−Ａ、Ｍｉｎｉ−Ｂ、Ｍｉｃｒｏ−Ａ、Ｍｉｃｒｏ−Ｂ、Ｌｉｇｈｔｎｉｎｇ（登録商標）などであってもよい。
ＬＥＤ発光部１０３及びスイッチ部１０４は、ノートＰＣ１に配置（接続）された際に視認可能に配置されている。ＵＳＢドングル１０の先端には、スイッチ部１０４（スイッチＳＷ）が配置されており、ユーザによってスイッチＳＷを押下可能に配置されている。
【００３９】
なお、ＵＳＢドングル１０のＬＥＤ発光部１０３は、図３に示すように、表示部１４の表示を停止した状態でも視認可能に配置されている。また、ＵＳＢドングル１０のスイッチ部１０４（スイッチＳＷ）は、表示部１４の表示を停止した状態でも操作可能に配置されている。
【００４０】
次に、図４を参照して、本実施形態によるノートＰＣ１のシステム（情報処理システム１００）について説明する。
図４は、本実施形態によるノートＰＣ１の機能構成の一例を示すブロック図である。
図４に示すように、ノートＰＣ１のシステム（情報処理システム１００）は、ソフトウェアにより実現される、モード制御部４１と、音声アシスタント部４３と、アプリケーション４２とを備えている。また、ノートＰＣ１のシステムは、本実施形態の主要なハードウェアとして、ＵＳＢドングル１０と、ＣＰＵ１１と、チップセット２１と、ＵＳＢコネクタ２４と、オーディオシステム２５と、マイク２５１と、スピーカ２５２とを備えている。
【００４１】
また、図４において、ソフトウェアは、ＨＤＤ２３又はＢＩＯＳメモリ２２に記憶されているプログラムをメインメモリ１２に読み込み、ＣＰＵ１１が実行することにより実現される。
【００４２】
モード制御部４１は、ノートＰＣ１のシステムの動作モードを制御する。モード制御部４１は、例えば、ユーザが表示部１４の表示を見えない状態にするユーザのアクションに応じて、表示部１４の表示を停止する。また、モード制御部４１は、例えば、この表示の停止に応じて、Ｓ０ｉｘ状態（低消費電力状態）にするモダンスタンバイモードに変更する。モード制御部４１は、ＣＰＵ１１及びチップセット２１を、Ｓ０状態からＳ０ｉｘ状態に変更する。
【００４３】
ここで、ユーザが表示部１４の表示を見えない状態にするユーザのアクションとは、例えば、表示部１４を搭載している表示筐体（ＬＣＤ筐体）が、ユーザによって閉状態にされる、パワー・ボタンをユーザが押下、又はＯＳの操作によって、モダンスタンバイモードが選択される、等のスタンバイ要求である。
【００４４】
また、モード制御部４１は、表示部１４の表示を停止したモダンスタンバイモード（待機モード）において、バックグラウンド処理を実行するＳ０状態と、バックグラウンド処理に切り替え可能なＳ０ｉｘ状態とを切り替える制御を行う。モード制御部４１は、タイマなどの定期的なイベントトリガに応じて、Ｓ０ｉｘ状態からバックグラウンド処理を実行するＳ０状態に変更し、予め設定されたアプリケーション４２を実行させる。
【００４５】
また、モード制御部４１は、ＵＳＢドングル１０がノートＰＣ１に装着されていることを確認する。すなわち、モード制御部４１は、チップセット２１及びＵＳＢコネクタ２４を介して、ＵＳＢドングル１０がノートＰＣ１に装着されていることを確認する。
また、バックグラウンド処理において、アプリケーション４２の実行によって、ユーザに通知する所定のイベントが発生した場合に、モード制御部４１は、ＵＳＢドングル１０に、ＬＥＤ発光部１０３の点灯命令を出力する。モード制御部４１は、チップセット２１及びＵＳＢコネクタ２４を介して、ＵＳＢ制御部１０１に、ＬＥＤ発光部１０３を点灯させる点灯命令を送信する。
【００４６】
また、モード制御部４１は、バックグラウンド処理が完了した場合に、再び、Ｓ０状態からＳ０ｉｘ状態に変更する。
また、モード制御部４１は、ＵＳＢドングル１０からの起動要求に基づいて、Ｓ０ｉｘ状態からＳ０状態に切り替える制御を行う。例えば、モード制御部４１は、スイッチ部１０４が所定の期間以上押下される操作がされた場合に、Ｓ０ｉｘ状態からＳ０状態に切り替えるとともに、音声アシスタント部４３に対して、音声アシスタント処理の動作を開始させる。
【００４７】
アプリケーション４２は、例えば、バックグラウンド処理で実行されるアプリケーションソフトウェアの処理機能部である。アプリケーション４２は、例えば、ＷＬＡＮカード２６などを介して、メールの受信（メールの着信）、ＳＮＳの更新を受信、ＯＳ又はアプリケーションプログラムの更新などの処理を実行する。また、アプリケーション４２は、例えば、メールを受信したなどのユーザに通知する所定のイベントが発生した場合に、所定のイベントが発生したことを、モード制御部４１にイベントトリガとして通知する。
【００４８】
音声アシスタント部４３は、ユーザの音声によって自装置の操作を受け付ける音声アシスタント処理を実行する。音声アシスタント部４３は、例えば、スイッチ部１０４が押下されている期間に、ユーザの音声によって操作を受け付ける。すなわち、音声アシスタント部４３は、モード制御部４１を介して、ＵＳＢドングル１０のスイッチ部１０４の操作情報を取得する。音声アシスタント部４３は、スイッチ部１０４のスイッチＳＷが押下されている場合に、チップセット２１を介して、オーディオシステム２５にマイク２５１及びスピーカ２５２をオン状態にして、ユーザの音声による操作を受け付ける。
【００４９】
次に、図面を参照して、本実施形態によるノートＰＣ１の動作について説明する。
図５は、本実施形態によるノートＰＣ１の状態遷移の一例を示す図である。
図５において、状態ＳＴ１は、ノートＰＣ１が通常動作モードＭ０である状態である。状態ＳＴ１において、システム状態は、Ｓ０状態（表示オン）である。
【００５０】
状態ＳＴ１において、ユーザによって表示筐体（ＬＣＤ筐体）が閉状態にされるなどのスタンバイ要求があると、ノートＰＣ１は、モダンスタンバイモードＭ１に移行する。スタンバイ要求によって、ノートＰＣ１は、表示部１４の表示を停止（表示オフ）して、Ｓ０ｉｘ状態（状態ＳＴ２）にする。すなわち、ノートＰＣ１のモード制御部４１は、スタンバイ要求に応じて、ビデオサブシステム１３に表示部１４の表示を停止させる。また、モード制御部４１は、ＣＰＵ１１及びチップセット２１をＳ０ｉｘ状態（表示オフ）にする（状態ＳＴ２）。
【００５１】
また、状態ＳＴ２において、バックグラウンド処理のイベントトリガがある場合に、ノートＰＣ１は、Ｓ０状態（状態ＳＴ３）に遷移する。例えば、エンベデッドコントローラ３１のタイマにより定期的に、又はＷＬＡＮカード２６の受信の検出により、ノートＰＣ１は、状態ＳＴ３に遷移する。また、例えば、ＵＳＢドングル１０において、例えば、スイッチ部１０４が押下された場合に、ノートＰＣ１は、Ｓ０状態（表示オフ）に遷移する（状態ＳＴ３）。
【００５２】
状態ＳＴ３において、アプリケーション４２によって、バックグラウンド処理が実行される。なお、状態ＳＴ３のバックグラウンド処理において、ユーザに通知する所定のイベントが発生した場合に、モード制御部４１は、チップセット２１及びＵＳＢコネクタ２４を介して、ＵＳＢ制御部１０１に、ＬＥＤ発光部１０３を点灯させる点灯命令を送信する。また、状態ＳＴ３において、バックグラウンド処理が完了した場合に、ノートＰＣ１は、上述した状態ＳＴ２（Ｓ０ｉｘ状態（表示オフ））に戻る。
【００５３】
また、上述した状態ＳＴ２において、復帰イベントトリガが発生した場合に、ノートＰＣ１は、状態ＳＴ１に遷移する。ここで、復帰イベントトリガは、例えば、ユーザによるパワー・ボタンの押下や入力部３２の操作などによるイベントトリガであり、モード制御部４１は、当該イベントトリガに応じて、ビデオサブシステム１３に表示部１４の表示を再開させて、モダンスタンバイモードＭ１の解除を指示する。そして、ノートＰＣ１は、状態ＳＴ１（通常動作モードＭ０）に復帰する。
【００５４】
次に、図６を参照して、本実施形態におけるモダンスタンバイモードへの移行処理について説明する。
図６は、本実施形態におけるモダンスタンバイモードへの移行処理の一例を示すフローチャートである。
【００５５】
図６において、まず、モード制御部４１は、例えば、ユーザによって表示筐体（ＬＣＤ筐体）が閉状態にされるなどのスタンバイ要求があるか否かを判定する（ステップＳ１０１）。モード制御部４１は、スタンバイ要求がある場合（ステップＳ１０１：ＹＥＳ）に、処理をステップＳ１０２に進める。また、モード制御部４１は、スタンバイ要求がない場合（ステップＳ１０１：ＮＯ）に、処理をステップＳ１０１に戻す。
【００５６】
ステップＳ１０２において、モード制御部４１は、表示オフしてＳ０ｉｘ状態にする。モード制御部４１は、ビデオサブシステム１３を介して表示部１４を表示オフさせるとともに、ＣＰＵ１１及びチップセット２１を、Ｓ０状態からＳ０ｉｘ状態に変更する。すなわち、モード制御部４１は、図５に示す状態ＳＴ１（通常動作モードＭ０）からモダンスタンバイモードＭ１の状態ＳＴ２に遷移させる。
【００５７】
次に、モード制御部４１は、起動要求があるか否かを判定する（ステップＳ１０３）。モード制御部４１は、起動要求として、例えば、タイマなどの定期的なイベントトリガ、ユーザによる復帰イベントトリガ、及びＵＳＢドングル１０のスイッチ部１０４の押下されたイベントトリガなどがあるか否かを判定する。モード制御部４１は、起動要求がある場合（ステップＳ１０３：ＹＥＳ）に、処理をステップＳ１０４に進める。また、モード制御部４１は、起動要求がない場合（ステップＳ１０３：ＮＯ）に、処理をステップＳ１０３に戻す。
【００５８】
ステップＳ１０４において、モード制御部４１は、起動要求がバックグラウンド処理を要求するものであるか否かを判定する。モード制御部４１は、起動要求のイベントトリガの要因に応じて、バックグラウンド処理であるか否かを判定する。モード制御部４１は、バックグラウンド処理である場合（ステップＳ１０４：ＹＥＳ）に、処理をステップＳ１０５に進める。また、モード制御部４１は、バックグラウンド処理でない場合（ステップＳ１０４：ＮＯ）に、処理をステップＳ１０９に進める。バックグラウンド処理でない場合とは、例えば、ユーザによるパワー・ボタンの押下や入力部３２の操作などのユーザによる復帰イベントトリガの場合である。
【００５９】
ステップＳ１０５において、モード制御部４１は、表示オフのままＳ０状態にする。モード制御部４１は、ＣＰＵ１１及びチップセット２１を、Ｓ０ｉｘ状態からＳ０状態に変更し、予め設定されたアプリケーション４２にバックグラウンド処理を実行させる。すなわち、モード制御部４１は、図５に示す状態ＳＴ２から状態ＳＴ３に遷移させる。
【００６０】
次に、モード制御部４１は、通知イベントがあるか否かを判定する（ステップＳ１０６）。モード制御部４１は、アプリケーション４２によるバックグラウンド処理によって、例えば、メールの受信などのユーザに通知する通知イベントが発生したか否かを、イベントトリガにより判定する。モード制御部４１は、通知イベントがある場合（ステップＳ１０６：ＹＥＳ）に、処理をステップＳ１０７に進める。また、モード制御部４１は、通知イベントがない場合（ステップＳ１０６：ＮＯ）に、処理をステップＳ１０８に進める。
【００６１】
ステップＳ１０７において、モード制御部４１は、ＵＳＢドングル１０にＬＥＤ発光部１０３の点灯命令を出力する。モード制御部４１は、チップセット２１及びＵＳＢコネクタ２４を介して、ＵＳＢドングル１０のＵＳＢ制御部１０１に、ＬＥＤ発光部１０３を点灯させる点灯命令を送信し、ＬＥＤ発光部１０３を点灯させる。
【００６２】
また、ステップＳ１０８において、モード制御部４１は、バックグラウンド処理が終了であるか否かを判定する。モード制御部４１は、アプリケーション４２によるバックグラウンド処理が終了した場合（ステップＳ１０８：ＹＥＳ）に、処理をステップＳ１０２に戻し、再びＳ０状態（表示オフ）からＳ０ｉｘ状態に変更する。すなわち、モード制御部４１は、図５に示す状態ＳＴ３から状態ＳＴ２に遷移させる。また、モード制御部４１は、アプリケーション４２によるバックグラウンド処理が終了していない場合（ステップＳ１０８：ＮＯ）に、処理をステップＳ１０６に戻す。
【００６３】
また、ステップＳ１０９において、モード制御部４１は、表示オンしてＳ０状態にする。ビデオサブシステム１３を介して表示部１４を表示オンさせるとともに、ＣＰＵ１１及びチップセット２１を、Ｓ０ｉｘ状態からＳ０状態に変更する。すなわち、モード制御部４１は、図５に示すモダンスタンバイモードＭ１の状態ＳＴ２から状態ＳＴ１（通常動作モードＭ０）に遷移させる。
【００６４】
なお、モード制御部４１は、ＬＥＤ発光部１０３を点灯させた状態を、ステップＳ１０８の処理からステップＳ１０２からステップＳ１０４の処理を経て、ステップＳ１０９の処理まで維持する。モード制御部４１は、ステップＳ１０９の処理後に、ユーザが通知イベントを確認した場合に、ＬＥＤ発光部１０３を消灯させる。すなわち、モード制御部４１は、ＵＳＢドングル１０にＬＥＤ発光部１０３の消灯命令を出力する。
【００６５】
次に、図７を参照して、本実施形態によるＵＳＢドングル１０の動作について説明する。
図７は、本実施形態によるＵＳＢドングル１０の動作の一例を示すフローチャートである。
【００６６】
図７において、まず、ＵＳＢドングル１０のＵＳＢ制御部１０１は、ＬＥＤ発光部１０３の点灯命令があるか否かを判定する（ステップＳ２０１）。ＵＳＢ制御部１０１は、ノートＰＣ１のモード制御部４１から点灯命令が、ＵＳＢコネクタ２４を介して、受信したか否かを判定する。ＵＳＢ制御部１０１は、ＬＥＤ発光部１０３の点灯命令を受信した場合（ステップＳ２０１：ＹＥＳ）に、処理をステップＳ２０２に進める。また、ＵＳＢ制御部１０１は、ＬＥＤ発光部１０３の点灯命令を受信していない場合（ステップＳ２０１：ＮＯ）に、処理をステップＳ２０３に進める。
【００６７】
ステップＳ２０２において、ＵＳＢ制御部１０１は、ＬＥＤ発光部１０３を点灯させる。すなわち、ＵＳＢ制御部１０１は、駆動回路１０２のＬＥＤ発光部１０３の点灯命令を出力し、ＬＥＤ発光部１０３を点灯（発光）させる。
【００６８】
また、ステップＳ２０３において、ＵＳＢ制御部１０１は、スイッチ部１０４の操作があるか否かを判定する。ＵＳＢ制御部１０１は、例えば、スイッチ部１０４のスイッチＳＷが押下されたいか否かを判定する。ＵＳＢ制御部１０１は、スイッチ部１０４の操作がある場合（ステップＳ２０３：ＹＥＳ）に、処理をステップＳ２０４に進める。また、ＵＳＢ制御部１０１は、スイッチ部１０４の操作がない場合（ステップＳ２０３：ＮＯ）に、処理をステップＳ２０１に戻す。
【００６９】
ステップＳ２０４において、ＵＳＢ制御部１０１は、バス（ＵＳＢ）が停止状態であるか否かを判定する。ＵＳＢ制御部１０１は、Ｓ０ｉｘ状態のため、バス（ＵＳＢ）が停止状態である場合（ステップＳ２０４：ＹＥＳ）に、処理をステップＳ２０５に進める。また、ＵＳＢ制御部１０１は、Ｓ０状態のため、バス（ＵＳＢ）が停止状態でない場合（ステップＳ２０４：ＮＯ）に、処理をステップＳ２０６に進める。
【００７０】
ステップＳ２０５において、ＵＳＢ制御部１０１は、起動要求を行う。すなわち、ＵＳＢ制御部１０１は、ノートＰＣ１のモード制御部４１に対して、ＵＳＢコネクタ２４を介して、起動のイベントトリガを起動要求として出力する。これにより、モード制御部４１は、ＣＰＵ１１及びチップセット２１を、Ｓ０ｉｘ状態からＳ０状態に変更してバスを活性化する。
【００７１】
また、ステップＳ２０６において、ＵＳＢ制御部１０１は、スイッチ部１０４の操作をノートＰＣ１のモード制御部４１に送信する。すなわち、ＵＳＢ制御部１０１は、ＵＳＢコネクタ２４を介して、スイッチ部１０４の操作情報をモード制御部４１に送信する。
【００７２】
次に、ＵＳＢ制御部１０１は、スイッチ部１０４が押下状態であるか否かを判定する（ステップＳ２０７）。ＵＳＢ制御部１０１は、スイッチ部１０４が押下状態である場合（ステップＳ２０７：ＹＥＳ）に、処理をステップＳ２０８に進める。また、ＵＳＢ制御部１０１は、スイッチ部１０４が押下状態でない場合（ステップＳ２０７：ＮＯ）に、処理をステップＳ２０９に進める。
【００７３】
ステップＳ２０８において、ＵＳＢ制御部１０１は、ＬＥＤ発光部１０３を点灯させる。ステップＳ２０８の処理後に、ＵＳＢ制御部１０１は、処理をステップＳ２０１に戻す。
また、ステップＳ２０９において、ＵＳＢ制御部１０１は、ＬＥＤ発光部１０３を消灯させる。すなわち、ＵＳＢ制御部１０１は、駆動回路１０２のＬＥＤ発光部１０３の消灯命令を出力し、ＬＥＤ発光部１０３を消灯（発光を停止）させる。ステップＳ２０９の処理後に、ＵＳＢ制御部１０１は、処理をステップＳ２０１に戻す。
【００７４】
次に、図８を参照して、本実施形態における音声アシスタント機能の開始処理について説明する。
図８は、本実施形態における音声アシスタント機能の開始処理の一例を示すフローチャートである。
【００７５】
図８に示すように、ノートＰＣ１のモード制御部４１は、まず、ＵＳＢドングル１０からの起動要求があるか否かを判定する（ステップＳ３０１）。モード制御部４１は、ＵＳＢドングル１０からの起動要求として、例えば、ＵＳＢドングル１０のスイッチ部１０４の押下されたイベントトリガが発生したか否かを判定する。モード制御部４１は、ＵＳＢドングル１０からの起動要求がある場合（ステップＳ３０１：ＹＥＳ）に、処理をステップＳ３０２に進める。また、モード制御部４１は、ＵＳＢドングル１０からの起動要求がない場合（ステップＳ３０１：ＮＯ）に、処理をステップＳ３０１に戻す。
【００７６】
ステップＳ３０２において、モード制御部４１は、Ｓ０状態にする。すなわち、モード制御部４１は、表示オフのまま、ＣＰＵ１１及びチップセット２１を、Ｓ０ｉｘ状態からＳ０状態に変更する。
【００７７】
次に、モード制御部４１は、スイッチ部１０４の操作があるか否かを判定する（ステップＳ３０３）。モード制御部４１は、ＵＳＢコネクタ２４を介して、ＵＳＢドングル１０のスイッチ部１０４の操作があるか否かを確認する。モード制御部４１は、スイッチ部１０４の操作がある場合（ステップＳ３０３：ＹＥＳ）に、処理をステップＳ３０４に進める。また、モード制御部４１は、スイッチ部１０４の操作がない場合（ステップＳ３０３：ＮＯ）に、処理をステップＳ３０１に戻す。
【００７８】
ステップＳ３０４において、モード制御部４１は、スイッチ部１０４の押下が１ｓ（１秒）以上であるか否かを判定する。モード制御部４１は、例えば、ＵＳＢコネクタ２４を介して、スイッチ部１０４の操作情報を取得し、スイッチ部１０４の押下が１ｓ以上であるか否かを判定する。モード制御部４１は、スイッチ部１０４の押下が１ｓ以上である場合（ステップＳ３０４：ＹＥＳ）に、処理をステップＳ３０５に進める。また、モード制御部４１は、スイッチ部１０４の押下が１ｓ以上でない場合（ステップＳ３０４：ＮＯ）に、処理をステップＳ３０８に進める。
【００７９】
ステップＳ３０５において、モード制御部４１は、音声アシスタント機能が有効設定されているか否かを判定する。モード制御部４１は、スイッチ部１０４の押下によって、音声アシスタント機能を使用することが予め設定されているか否かを判定する。モード制御部４１は、音声アシスタント機能が有効である場合（ステップＳ３０５：ＹＥＳ）に、処理をステップＳ３０６に進める。また、モード制御部４１は、音声アシスタント機能が有効でない場合（ステップＳ３０５：ＮＯ）に、処理をステップＳ３０１に戻す。
【００８０】
ステップＳ３０６において、モード制御部４１は、マイク２５１及びスピーカ２５２の動作をオン状態にする。モード制御部４１は、例えば、オーディオドライバに、オーディオシステム２５の接続されたマイク２５１及びスピーカ２５２を有効にして、オン状態にする。
【００８１】
次に、モード制御部４１は、音声アシスタント処理を開始させる（ステップＳ３０７）。すなわち、モード制御部４１は、音声アシスタント部４３に、音声アシスタント機能の処理を開始させる。ステップＳ３０７の処理後に、モード制御部４１は、処理をステップＳ３０１に戻す。
【００８２】
また、ステップＳ３０８において、モード制御部４１は、マイク２５１及びスピーカ２５２の動作をオフ状態にする。モード制御部４１は、例えば、オーディオドライバに、オーディオシステム２５の接続されたマイク２５１及びスピーカ２５２を無効にして、オフ状態にする。ステップＳ３０８の処理後に、モード制御部４１は、処理をステップＳ３０１に戻す。
【００８３】
次に、本実施形態におけるノートＰＣ１とＵＳＢドングル１０とが連携した動作について説明する。
図９は、本実施形態におけるノートＰＣ１及びＵＳＢドングル１０の動作の一例を示す図である。
【００８４】
図９において、ノートＰＣ１のモード制御部４１は、まず、ノートＰＣ１をＳ０状態にする（ステップＳ４０１）。モード制御部４１は、例えば、アプリケーション４２にバックグラウンド処理を実行させる。
次に、モード制御部４１は、アプリケーション４２において、メールの受信などのユーザに通知する通知イベントなどの所定のイベントが発生した場合に、ＬＥＤ発光部１０３の点灯命令を、ＵＳＢドングル１０のＵＳＢ制御部１０１に送信する（ステップＳ４０２）。すなわち、モード制御部４１は、ＵＳＢコネクタ２４を介して、ＵＳＢ制御部１０１にＬＥＤ発光部１０３の点灯命令を送信する。
【００８５】
次に、ＵＳＢ制御部１０１は、駆動回路１０２に、ＬＥＤ発光部１０３の点灯命令を送信する（ステップＳ４０３）。ＵＳＢ制御部１０１は、モード制御部４１から受信したＬＥＤ発光部１０３の点灯命令を、駆動回路１０２に送信する。
【００８６】
次に、駆動回路１０２は、ＬＥＤ発光部１０３を点灯する（ステップＳ４０４）。駆動回路１０２は、点灯命令に基づいて、ＬＥＤ発光部１０３の駆動信号を生成し、ＬＥＤ発光部１０３を点灯させる。
このように、本実施形態によるノートＰＣ１及びＵＳＢドングル１０では、モダンスタンバイモード中に、バックグラウンド処理により、所定のイベントが発生した場合に、ＵＳＢドングル１０のＬＥＤ発光部１０３を点灯させて、ユーザに所定のイベントが発生したことを知らせる。
【００８７】
また、モード制御部４１は、バックグラウンド処理が完了した場合、Ｓ０ｉｘ状態にする（ステップＳ４０５）。モード制御部４１は、ＣＰＵ１１及びチップセット２１を、Ｓ０状態からＳ０ｉｘ状態に変更する。
【００８８】
また、ＵＳＢドングル１０のＵＳＢ制御部１０１は、例えば、スイッチ部１０４の押下（例えば、スイッチＳＷの１ｓ以上の押下）を検出した場合に、Ｓ０ｉｘ状態を解除して、Ｓ０状態にさせる起動要求を、ノートＰＣ１のモード制御部４１に送信する（ステップＳ４０６）。ＵＳＢ制御部１０１は、ＵＳＢコネクタ２４を介して、Ｓ０ｉｘ状態からＳ０状態に復帰させる起動要求をモード制御部４１に送信する。
【００８９】
次に、モード制御部４１は、ノートＰＣ１をＳ０状態にし（ステップＳ４０７）、音声アシスタント処理を開始さえる（ステップＳ４０８）。モード制御部４１は、マイク２５１及びスピーカ２５２の動作をオン状態にするとともに、音声アシスタント部４３に、音声アシスタント機能の処理を開始させる。
このように、本実施形態によるノートＰＣ１は、ユーザによるＵＳＢドングル１０のスイッチ部１０４の操作（１ｓ以上の押下）により、Ｓ０ｉｘ状態を解除して、音声アシスタント機能を起動する。
【００９０】
以上説明したように、本実施形態によるノートＰＣ１（情報処理装置）は、モード制御部４１と、ＬＥＤ発光部１０３（発光部）と、ＵＳＢ制御部１０１（点灯制御部）とを備える。モード制御部４１は、動作モードを制御し、表示部１４の表示を停止した待機モード（例えば、モダンスタンバイモード）において、バックグラウンド処理を実行する稼動状態（Ｓ０状態）と、迅速に稼動状態（Ｓ０状態）に復帰可能な低消費電力状態（Ｓ０ｉｘ状態）とを切り替える制御を行う。ＬＥＤ発光部１０３は、表示部１４の表示を停止した状態で視認可能に配置される。ＵＳＢ制御部１０１は、バックグラウンド処理において、ユーザに通知する所定のイベントが発生した場合に、待機モードのままＬＥＤ発光部１０３を点灯させる。
これにより、本実施形態によるノートＰＣ１は、ユーザがバックグラウンド処理によって所定のイベントが発生したこと（内部の状態の変化）を知ることができ、待機モード（モダンスタンバイモード）において、利便性及び通知の視認性を向上させることができる。
【００９１】
また、本実施形態によるＵＳＢドングル１０（電子機器）は、表示部１４の表示を停止した待機モードにおいて、バックグラウンド処理を実行する稼動状態と、迅速に稼動状態（Ｓ０状態）に復帰可能な低消費電力状態とを切り替える制御を行うモード制御部４１を備えるノートＰＣ１に着脱可能な電子機器であって、ＬＥＤ発光部１０３と、ＵＳＢ制御部１０１（点灯制御部）とを備える。ＬＥＤ発光部１０３は、表示部１４の表示を停止した状態で視認可能に配置されている。ＵＳＢ制御部１０１は、バックグラウンド処理において、ユーザに通知する所定のイベントが発生した場合に、待機モードのままＬＥＤ発光部１０３を点灯させる。
これにより、本実施形態によるＵＳＢドングル１０は、ユーザがノートＰＣ１のバックグラウンド処理によって所定のイベントが発生したこと（ノートＰＣ１の内部の状態の変化）を知ることができ、待機モード（モダンスタンバイモード）において、利便性を向上させることができる。
【００９２】
また、本実施形態によるＵＳＢドングル１０は、表示部１４の表示を停止した状態で操作可能に配置されたスイッチ部１０４を備える。ＵＳＢ制御部１０１は、スイッチ部１０４の操作に応じて、低消費電力状態（Ｓ０ｉｘ状態）から稼動状態（Ｓ０状態）に復帰させる起動要求をモード制御部４１に出力する。モード制御部４１は、起動要求に基づいて、稼動状態（Ｓ０状態）に切り替える制御を行う。
これにより、本実施形態によるノートＰＣ１及びＵＳＢドングル１０は、表示部１４の表示を停止した状態で操作可能なスイッチ部１０４の操作によって、低消費電力状態（Ｓ０ｉｘ状態）を解除することができるため、さらに利便性を向上させることができる。
【００９３】
また、本実施形態によるノートＰＣ１は、ユーザの音声によって自装置（ノートＰＣ１）の操作を受け付ける音声アシスタント処理を実行する音声アシスタント部４３を備える。モード制御部４１は、スイッチ部１０４が所定の期間以上（例えば、１ｓ以上）押下される操作がされた場合に、稼動状態（Ｓ０状態）に切り替えるとともに、音声アシスタント部４３に対して、音声アシスタント処理の動作を開始させる。
これにより、本実施形態によるノートＰＣ１及びＵＳＢドングル１０は、スイッチ部１０４の操作によって、素早く低消費電力状態（Ｓ０ｉｘ状態）を解除して、音声アシスタント処理の動作をせることができるため、さらに利便性を向上させることができる。
【００９４】
また、本実施形態では、音声アシスタント部４３は、スイッチ部１０４が押下されている期間に、ユーザの音声によって操作を受け付ける。
これにより、本実施形態によるノートＰＣ１及びＵＳＢドングル１０は、スイッチ部１０４が押下されている間にユーザの音声による操作を受け付けるため、ユーザの音声による操作の誤検出を低減することができる。
【００９５】
また、本実施形態では、ＬＥＤ発光部１０３と、ＵＳＢ制御部１０１と、スイッチ部１０４とを備えるＵＳＢドングル１０（電子機器）が、着脱可能に構成されている。
これにより、本実施形態によるノートＰＣ１では、ノートＰＣ１の構成及びシステムを変更する負荷及びコストを低減しつつ、ノートＰＣ１にＵＳＢドングル１０を装着することで、容易に利便性を向上させることができる。また、本実施形態によるノートＰＣ１では、ＵＳＢドングル１０が着脱可能であるため、ＵＳＢドングル１０の利用を必要としないユーザにとって、ノートＰＣ１に不要な機能が付加されることを防止することができる。
【００９６】
また、本実施形態では、モード制御部４１は、起動要求に基づいて、稼動状態に切り替えるとともに、スイッチ部１０４の操作内容（例えば、スイッチＳＷの１回押下、スイッチＳＷの２回押下、スイッチＳＷの長押しなど）に応じて、異なる処理を実行させるようにしてもよい。ここで、異なる処理は、例えば、音声アシスタント機能の起動処理、ＳＮＳの更新処理、音声アシスタント機能の音声入力などである。
これにより、本実施形態によるノートＰＣ１及びＵＳＢドングル１０は、スイッチ部１０４の操作内容によって、複数の異なる処理を起動させることが可能になるため、さらに利便性を向上させることができる。
【００９７】
また、本実施形態によるＵＳＢドングル１０は、表示部１４の表示を停止した待機モードにおいて、バックグラウンド処理を実行する稼動状態と、迅速に前記稼動状態に復帰可能な低消費電力状態とを切り替える制御を行うモード制御部４１を備えるノートＰＣ１に着脱可能な電子機器であって、スイッチ部１０４と、ＵＳＢ制御部１０１（稼動制御部）とを備える。スイッチ部１０４は、表示部１４の表示を停止した状態で操作可能に配置されている。ＵＳＢ制御部１０１は、スイッチ部１０４の操作に応じて、低消費電力状態（Ｓ０ｉｘ状態）から稼動状態（Ｓ０状態）に復帰させる起動要求をモード制御部４１に出力する。
これにより、本実施形態によるＵＳＢドングル１０は、表示部１４の表示を停止した状態で操作可能なスイッチ部１０４の操作によって、ノートＰＣ１の低消費電力状態（Ｓ０ｉｘ状態）を解除することができるため、利便性を向上させることができる。
【００９８】
また、本実施形態による情報処理システム１００は、上述したノートＰＣ１と、ＵＳＢドングル１０とを備える。
これにより、本実施形態による情報処理システム１００は、上述したノートＰＣ１及びＵＳＢドングル１０と同様の効果を奏し、待機モード（モダンスタンバイモード）において、利便性を向上させることができる。
【００９９】
また、本実施形態による情報処理方法は、モード制御ステップと、確認ステップと、点灯制御ステップとを含む。モード制御ステップにおいて、動作モードを制御するモード制御部４１が、表示部１４の表示を停止した待機モードにおいて、バックグラウンド処理を実行する稼動状態（Ｓ０状態）と、バックグラウンド処理に切り替え可能な低消費電力状態（Ｓ０ｉｘ状態）とを切り替える制御を行う。確認ステップにおいて、モード制御部４１が、ノートＰＣ１に着脱可能で、表示部１４の表示を停止した状態で視認可能に配置されたＬＥＤ発光部１０３を備えるＵＳＢドングル１０が装着されていることを確認する。点灯制御ステップにおいて、ＵＳＢ制御部１０１が、バックグラウンド処理において、ユーザに通知する所定のイベントが発生した場合に、待機モードのままＬＥＤ発光部１０３を点灯させる。
これにより、本実施形態による情報処理方法は、上述したノートＰＣ１及びＵＳＢドングル１０と同様の効果を奏し、待機モード（モダンスタンバイモード）において、利便性を向上させることができる。
【０１００】
［第２の実施形態］
次に、図面を参照して、第２の実施形態によるノートＰＣ１ａ及びＵＳＢドングル１０ａ（情報処理システム１００ａ）について説明する。本実施形態では、ＵＳＢドングル１０ａが指紋センサ１０６を備える変形例について説明する。
【０１０１】
図１０は、第２の実施形態によるノートＰＣ１ａの機能構成の一例を示すブロック図である。
図１０に示すように、ノートＰＣ１ａのシステム（情報処理システム１００ａ）は、ソフトウェアにより実現される、モード制御部４１ａと、音声アシスタント部４３ａと、アプリケーション４２とを備えている。また、ノートＰＣ１ａのシステムは、本実施形態の主要なハードウェアとして、ＵＳＢドングル１０ａと、ＣＰＵ１１と、チップセット２１と、ＵＳＢコネクタ２４と、オーディオシステム２５と、マイク２５１と、スピーカ２５２とを備えている。
【０１０２】
また、図１０において、ソフトウェアは、ＨＤＤ２３又はＢＩＯＳメモリ２２に記憶されているプログラムをメインメモリ１２に読み込み、ＣＰＵ１１が実行することにより実現される。
なお、図１０において、上述した図４に示す第１の実施形態と同一の構成には、同一の符号を付与してここではその説明を省略する。また、本実施形態によるノートＰＣ１ａのハード構成は、図１に示す第１の実施形態と同様であるため、ここではその説明を省略する。
【０１０３】
ＵＳＢドングル１０ａ（電子機器の一例）は、ＵＳＢコネクタ２４を介して、ノートＰＣ１ａに着脱可能に構成されている。ＵＳＢドングル１０ａは、ＵＳＢ制御部１０１ａと、駆動回路１０２と、ＬＥＤ発光部１０３と、スイッチ部１０４ａとを備える。また、スイッチ部１０４ａは、スイッチＳＷと、指紋センサ１０６とを備える。
【０１０４】
指紋センサ１０６は、例えば、スイッチＳＷの押下ボタンに配置され、操作したユーザの指紋情報を検出する。指紋センサ１０６は、図１１に示すように、スイッチＳＷを押下することで、スイッチＳＷを操作したユーザの指紋情報を検出可能に配置されている。
図１１は、本実施形態におけるＵＳＢドングル１０ａの一例を示す外観図である。
図１１に示すように、ＵＳＢドングル１０ａは、ＬＥＤ発光部１０３及びスイッチ部１０４ａと、ＵＳＢ端子部１０５と、指紋センサ１０６とを備え、指紋センサ１０６は、スイッチ部１０４ａと一体となって構成されている。
【０１０５】
ＵＳＢ制御部１０１ａは、基本的な機能は、上述した第１の実施形態におけるＵＳＢ制御部１０１と同様である。ＵＳＢ制御部１０１ａは、ＵＳＢコネクタ２４を介して、スイッチ部１０４ａの操作情報とともに、指紋センサ１０６が検出した指紋情報をモード制御部４１ａに送信する。
【０１０６】
本実施形態では、モード制御部４１ａは、スイッチ部１０４ａの操作情報及び指紋情報をＵＳＢ制御部１０１ａから取得し、取得した指紋情報に基づいて、ユーザの正当性が確認された場合、且つ、スイッチ部１０４ａのスイッチＳＷが、例えば、１ｓ以上押下されている場合に、音声アシスタント部４３ａに対して、音声アシスタント処理の動作を開始させる。
【０１０７】
音声アシスタント部４３ａは、指紋センサ１０６によって検出されたユーザの指紋情報に基づいて、スイッチ部１０４ａを操作したユーザの正当性が確認された場合に、ユーザの音声によって操作を受け付ける。具体的に、音声アシスタント部４３ａは、指紋センサ１０６が検出した指紋情報に基づいて、ユーザの正当性が確認された場合、且つ、スイッチ部１０４ａのスイッチＳＷが、例えば、１ｓ以上押下されている場合に、例えば、モード制御部４１ａからの開始指示に基づいて、ユーザの音声によって操作を受け付ける。
【０１０８】
次に、図１２を参照して、本実施形態における音声アシスタント機能の開始処理について説明する。
図１２は、本実施形態における音声アシスタント機能の開始処理の一例を示すフローチャートである。
【０１０９】
図１２において、ステップＳ５０１からステップＳ５０４までの処理は、上述した図８に示すステップＳ３０１からステップＳ３０４までの処理と同様であるため、ここではその説明を省略する。
なお、ステップＳ５０４において、モード制御部４１ａは、スイッチ部１０４ａの押下が１ｓ以上である場合（ステップＳ５０４：ＹＥＳ）に、処理をステップＳ５０５に進める。また、モード制御部４１ａは、スイッチ部１０４ａの押下が１ｓ以上でない場合（ステップＳ５０４：ＮＯ）に、処理をステップＳ５０９に進める。
【０１１０】
ステップＳ５０５において、モード制御部４１ａは、指紋情報による認証ＯＫであるか否かを判定する。モード制御部４１ａは、ＵＳＢコネクタ２４を介してＵＳＢ制御部１０１ａから取得した指紋情報と、予め登録されているユーザの指紋情報とを比較して、ユーザの正当性を判定する。モード制御部４１ａは、指紋情報による認証ＯＫ（ユーザが正当）である場合（ステップＳ５０５：ＹＥＳ）に、処理をステップＳ５０６に進める。また、モード制御部４１ａは、指紋情報による認証ＮＧである（ユーザが正当でない）場合（ステップＳ５０５：ＮＯ）に、処理をステップＳ５０１に戻す。
【０１１１】
続く、ステップＳ５０６からステップＳ５０９までの処理は、上述した図８に示すステップＳ３０５からステップＳ３０８までの処理と同様であるため、ここではその説明を省略する。
【０１１２】
以上説明したように、本実施形態では、スイッチ部１０４ａは、操作したユーザの指紋情報を検出する指紋センサ１０６を備える。音声アシスタント部４３ａは、指紋センサ１０６によって検出されたユーザの指紋情報に基づいて、スイッチ部１０４ａを操作したユーザの正当性が確認された場合に、ユーザの音声によって操作を受け付ける。
これにより、本実施形態によるノートＰＣ１ａ（又は情報処理システム１００ａ）では、指紋情報によって、ユーザの正当性が確認された場合に、ユーザの音声によって操作を受け付けるため、スイッチ部１０４ａの誤検出（例えば、ユーザの音声による操作の誤検出）を低減することができる。例えば、ノートＰＣ１ａを待機モード（モダンスタンバイモード）でカバンなどに収納した場合に、誤ってスイッチ部１０４ａが押下され、音声アシスタント機能が誤って起動されることを低減することができる。
【０１１３】
なお、上述した本実施形態の説明では、モード制御部４１ａが、ユーザの指紋情報に基づいて、ユーザの正当性を確認する例を説明したが、モード制御部４１ａの代わりに、音声アシスタント部４３ａが、ユーザの指紋情報に基づいて、ユーザの正当性を確認するようにしてもよい。
【０１１４】
また、上述した本実施形態では、ＵＳＢドングル１０ａは、指紋センサ１０６と一体に構成されたスイッチＳＷを含むスイッチ部１０４ａを備える一例を説明したが、図１３に示すように、スイッチ部１０４ａ（スイッチＳＷ）とは別体で指紋センサ１０６を備えるようにしてもよい。
【０１１５】
図１３は、本実施形態におけるＵＳＢドングル１０ａの変形例を示す外観図である。図１３に示すように、ＵＳＢドングル１０ａは、側面部に、指紋センサ１０６を備え、スイッチ部１０４ａ（スイッチＳＷ）を押下しながら、指紋センサ１０６による指紋情報の検出が可能に構成されている。
【０１１６】
なお、本発明は、上記の各実施形態に限定されるものではなく、本発明の趣旨を逸脱しない範囲で変更可能である。
例えば、上記の各実施形態において、ＵＳＢドングル１０（１０ａ）は、ノートＰＣ１（１ａ）に着脱可能に構成される例を説明したが、これに限定されるものではなく、ＵＳＢドングル１０（１０ａ）は、ノートＰＣ１（１ａ）に含まれて、一体に構成されるようにしてもよい。
【０１１７】
また、上記の各実施形態において、ＵＳＢドングル１０（１０ａ）とノートＰＣ１（１ａ）との間は、ＵＳＢを用いて通信する例を説明したが、他のインターフェースを用いてもよい。ＵＳＢドングル１０（１０ａ）は、ＵＳＢの代わりに、例えば、Ｉ２Ｃ（アイ  スクエアド  シー）バス、ＳＰＩ（Serial Peripheral Interface）、ＵＡＲＴ（Universal Asynchronous Receiver Transmitter）通信、ＣＣ  Ｃｏｍｍｕｎｉｃａｔｉｏｎ通信などを用いてもよい。
【０１１８】
また、上記の各実施形態において、情報処理装置がノートＰＣ１（１ａ）である場合の例を説明したが、これに限定されるものではない。情報処理装置は、例えば、タブレット端末装置、デスクトップＰＣなどの他の装置であってもよい。
また、上記の各実施形態において、電子機器の一例として、ＵＳＢドングル１０（１０ａ）を説明したが、これに限定されるものではなく、ＵＳＢドングル１０（１０ａ）とは異なる形態であってもよい。
【０１１９】
例えば、図１４は、電子機器の変形例を示す外観図である。この図において、電子機器１０ｂは、ノートＰＣ１のカバーである。すなわち、ＵＳＢドングル１０（１０ａ）の代わりに、このような電子機器１０ｂを用いるようにしてもよい。
【０１２０】
また、上記の各実施形態において、待機モードの一例として、Ｗｉｎｄｏｗｓ１０（Ｗｉｎｄｏｗｓは登録商標）のモダンスタンバイに適用する例を説明したが、これに限定されるものではなく、他のＯＳの待機モードに適用してもよい。待機モードには、例えば、Ｗｉｎｄｏｗｓ８（Ｗｉｎｄｏｗｓは登録商標）のコネクトスタンバイなどを適用してもよい。
【０１２１】
また、上記の各実施形態において、スイッチ部１０４（１０４ａ）の押下に応じて、バックグラウンド処理として、音声アシスタント機能が起動する例を説明したが、これに限定されるものではない。ノートＰＣ１（１ａ）は、例えば、メールの着信によってＬＥＤ発光部１０３が点灯している場合に、スイッチ部１０４（１０４ａ）の押下に応じて、例えば、メールソフトが起動して、着信が通知されたメールが表示されるようにしてもよい。
【０１２２】
また、上記の各実施形態において、ユーザに通知する所定のイベントの一例として、メールの着信に適用する例を説明したが、これに限定されるものではなく、他の所定のイベントであってもよい。なお、上記の各実施形態において、ユーザに通知するメールの着信（メールの受信）は、予め指定された特定の相手からのメール（例えば、ビジネス用のメールなど）の着信であってもよい。すなわち、メールの着信は、全てのメールの着信ではなく、特定の条件によりフィルタリングされたメールの着信であってもよい。これにより、ユーザは、特定の条件によりフィルタリングされたメールの着信をＬＥＤ発光部１０３の点灯により知ることができる。
【０１２３】
また、上記の各実施形態において、音声アシスタント部４３（４３ａ）は、バックグラウンド処理における音声アシスタント機能の起動条件として、スイッチ部１０４（１０４ａ）の押下を用いる例を説明したが、これに限定されるものではない。例えば、音声アシスタント部４３は、ノートＰＣ１（１ａ）の通常動作モードの際に、同様に、音声アシスタント機能の起動条件として、スイッチ部１０４（１０４ａ）の押下を用いるようにしてもよい。また、音声アシスタント部４３（４３ａ）は、例えば、音声によって操作を受け付ける際には、常に、スイッチ部１０４（１０４ａ）を押下するようにしてもよい。
【０１２４】
また、上記の各実施形態において、ＵＳＢ制御部１０１（１０１ａ）及びモード制御部４１（４１ａ）は、スイッチ部１０４（１０４ａ）を押下することによって、低消費電力状態の一例であるＳ０ｉｘ状態から稼動状態（Ｓ０状態）に復帰させる例を説明したが、これに限定されるものではない。例えば、ＵＳＢ制御部１０１（１０１ａ）及びモード制御部４１（４１ａ）は、Ｓ０ｉｘ状態の代わりに、Ｓ３状態（スリープ状態）などの他の低消費電力状態から稼動状態（Ｓ０状態）に復帰させるようにしてもよい。すなわち、ノートＰＣ１（１ａ）は、スイッチ部１０４（１０４ａ）を押下することによって、Ｓ３状態（スリープ状態）から起動して、音声アシスタント部４３（４３ａ）の音声アシスタント機能を起動させるようにしてもよい。
【０１２５】
また、ＵＳＢドングル１０（１０ａ）は、ノートＰＣ１（１ａ）から通知された所定のイベントの内容に応じて、例えば、赤(Red)、緑(Green)、及び青(Blue)の三原色の合成によって、ＬＥＤ発光部１０３の点灯色（発光色）を変更するようにしてもよい。また、ＵＳＢドングル１０（１０ａ）は、ＬＥＤ発光部１０３を点灯する際に、点滅などの点灯パターンを変更するようにしてもよい。
【０１２６】
なお、上述したノートＰＣ１（１ａ）及びＵＳＢドングル１０（１０ａ）が備える各構成は、内部に、コンピュータシステムを有している。そして、上述したノートＰＣ１（１ａ）及びＵＳＢドングル１０（１０ａ）が備える各構成の機能を実現するためのプログラムをコンピュータ読み取り可能な記録媒体に記録して、この記録媒体に記録されたプログラムをコンピュータシステムに読み込ませ、実行することにより上述したノートＰＣ１（１ａ）及びＵＳＢドングル１０（１０ａ）が備える各構成における処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。
また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
【０１２７】
また、記録媒体には、当該プログラムを配信するために配信サーバからアクセス可能な内部又は外部に設けられた記録媒体も含まれる。なお、プログラムを複数に分割し、それぞれ異なるタイミングでダウンロードした後にノートＰＣ１（１ａ）及びＵＳＢドングル１０（１０ａ）が備える各構成で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【０１２８】
また、上述した機能の一部又は全部を、ＬＳＩ（Large Scale Integration）等の集積回路として実現してもよい。上述した各機能は個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【符号の説明】
【０１２９】
１、１ａ  ノートＰＣ
１０、１０ａ  ＵＳＢドングル
１０ｂ  電子機器
１１  ＣＰＵ
１２  メインメモリ
１３  ビデオサブシステム
１４  表示部
２１  チップセット
２２  ＢＩＯＳメモリ
２３  ＨＤＤ
２４  ＵＳＢコネクタ
２５  オーディオシステム
２６  ＷＬＡＮカード
３１  エンベデッドコントローラ
３２  入力部
３３  電源回路
４１、４１ａ  モード制御部
４２  アプリケーション
４３、４３ａ  音声アシスタント部
１００、１００ａ  情報処理システム
１０１、１０１ａ  ＵＳＢ制御部
１０２  駆動回路
１０３  ＬＥＤ発光部
１０４、１０４ａ  スイッチ部
１０５  ＵＳＢ端子部
１０６  指紋センサ
２５１  マイク
２５２  スピーカ
ＳＷ  スイッチ
【図１】
2019197435.tif 000003
【図２】
2019197435.tif 000004
【図３】
2019197435.tif 000005
【図４】
2019197435.tif 000006
【図５】
2019197435.tif 000007
【図６】
2019197435.tif 000008
【図７】
2019197435.tif 000009
【図８】
2019197435.tif 000010
【図９】
2019197435.tif 000011
【図１０】
2019197435.tif 000012
【図１１】
2019197435.tif 000013
【図１２】
2019197435.tif 000014
【図１３】
2019197435.tif 000015
【図１４】
2019197435.tif 000016